(57)【要約】      （修正有）【課題】展示スペースの天井壁に回転盤を介して支持された照明具に安定した給電が可能な展示ケースを提供する。【解決手段】展示ケースは、展示物の展示スペースの天井壁２に照明具７を備え、該照明具７を支持する部材を略水平に回転自在な回転盤３で構成し、該回転盤３はモータ３０の出力軸３１に支持されており、天井壁２に固定された固定側部材５１と回転盤３に取付けられた回転側部材５３とで構成される回転コネクタ５０を介して照明具７に給電される。【選択図】図２
0003215378.tif 000002
【実用新案登録請求の範囲】
【請求項１】
展示物の展示スペースの天井壁に照明具を備え、該照明具を支持する部材を略水平に回転自在な回転盤で構成し、該回転盤はモータの出力軸に支持されており、前記天井壁に固定された固定側部材と前記回転盤に取付けられた回転側部材とで構成される回転コネクタを介して前記照明具に給電されることを特徴とする展示ケース。
【請求項２】
前記回転盤は前記天井壁に複数設けられているものを含む請求項１に記載の展示ケース。
【請求項３】
前記モータは前記天井壁を底面とする展示ケース最上部の室の内部以外の場所に設けられた構成を含む請求項１又は２に記載の展示ケース。
【請求項４】
前記展示ケースはキャスタを備えた移動式のものを含む請求項１乃至３のいずれか１項に記載の展示ケース。
【請求項５】
前記展示ケースは壁の一部に据え付け固定されたものを含む請求項１乃至３のいずれか１項に記載の展示ケース。
【考案の詳細な説明】
【技術分野】
【０００１】
本考案は展示ケースに関し、特に、展示スペースの天井壁に照明具を備えた展示ケースに関する。
【背景技術】
【０００２】
宝飾品、貴金属製品、美術工芸品などを展示する手段としての展示ケースにおいて、展示物がよく見えるように展示スペースの天井壁に照明手段を備えたものがある。一般には、特許文献１及び特許文献２のように、照明手段が固定されているため、展示物に当てられる光の照度が展示物の部位によりむらがあり、強く当てられる部分と弱く当てられる部分、それに影になる部分が生じてしまう問題がある。
【０００３】
そこで、特許文献３のように、光を光源から展示物に直接照射せず、透光性の発光パネルを透して間接的に展示物を照らすことにより、照度のむらを低減し、影が生じにくくした展示ケースがある。しかし、こうした照明は光が柔らかなため宝飾品等の輝きを目立たす役目を果たさず、宝飾品等の照明として適しているとはいい難いものであった。
【０００４】
こうした点を考慮して、天井壁に展示物を直接照らす照明を設けると共に照明の位置を一定の速度で移動させる構成が考えられるが、移動する照明への給電をリード線ガ絡まらないように実現するには困難があった。
【先行技術文献】
【特許文献】
【０００５】
【特許文献１】実用新案登録第３１２１７００号
【特許文献２】特開２０１０−１０４６１３
【特許文献３】特開２０１３−９４４４６
【考案の概要】
【考案が解決しようとする課題】
【０００６】
本考案は前記のような問題点を解消するためになされたもので、その目的とするところは、影の有無にかかわらず展示品の全体に亘り満遍なく照明を当てることができ、しかも、展示物、特に宝飾品の輝きをきらきらと最大限に際立たせてその魅力を存分に示すことができると共に、照明具への安定した給電を実現した展示ケースを提供することにある。
【課題を解決するための手段】
【０００７】
上記目的を達成するため本考案は、展示物の展示スペースの天井壁に照明具を備え、該照明具を支持する部材を略水平面上で回転自在な回転盤で構成し、該回転盤はモータの出力軸に支持されており、天井壁に固定された固定側部材と回転盤に取付けられた回転側部材とで構成される回転コネクタを介して照明具に給電されることを特徴とする。
【０００８】
前記回転盤は前記天井壁に複数設けられているものを含む。
【０００９】
前記モータは前記天井壁を底面とする展示ケース最上部の室の内部とは別の場所に設けられた構成を含む。
【００１０】
前記展示ケースはキャスタを備えた移動式のものを含む。
【００１１】
前記展示ケースは壁の一部に据え付け固定されているものを含む。
【考案の効果】
【００１２】
本考案に係る展示ケースによれば、影の有無にかかわらず展示品の全体に亘り満遍なく照明を当てることができ、展示物、特に宝飾品の輝きをきらきらと最大限に際立たせてその魅力を存分に示すことができる。この効果は回転盤には複数の照明具を支持させることにより一層高めることができる。展示ケースが大きな場合には、その大きさに応じて回転盤を複数設ければ、上記効果を減じることなく対応することができる。しかも、照明具には回転コネクタを介して給電されるのでリード線が絡まり断線するおそれがない。
【００１３】
また、回転盤をモータで駆動することにより、回転盤を長時間回転させることができ、モータを可変速タイプにするか、複数設けることにより回転盤の回転速度を必要に応じて変化させることができる。更に、モータを天井壁が底面となる展示ケース最上部の室の内部に設ければ、従来の展示ケースと外観上あまり変わらない展示ケースにすることができるが、モータを展示ケース最上部の室の内部とは別の場所に設ければ、更に展示ケース最上部の室の厚みが薄いすっきりとした展示ケースにすることができる。
【００１４】
更にまた、本考案に係る展示ケースは、移動式のものであっても、壁の一部に据え付け固定されたものであっても、これまでに述べた効果に差異は生じない。
【図面の簡単な説明】
【００１５】
【図１】本考案に係る展示ケースの第１実施例を示す正面斜視図である。
【図２】上部室の図１中Ａ−Ａ線に沿った要部の概略断面図である。
【図３】モータの位置を変えた図２と同様の図である。
【図４】本考案に係る展示ケースの第２実施例を示す正面斜視図である。
【図５】本考案に係る展示ケースの第３実施例を示す斜視図である。
【考案を実施するための形態】
【００１６】
以下、本考案の実施の形態について、図面を参照して詳細に説明する。
【実施例】
【００１７】
図１及び図２は本考案に係る展示ケースの第１実施例を示している。
図１において、本考案に係る展示ケース１は、台座７の上に設けられた展示スペース１０を有する。展示スペース１０は前面及び両側面がそれぞれ透明パネル４及び５により、後面が不透明パネル６により囲まれている。展示スペース１０の天井壁２には展示物を照らす照明具７を備えた回転盤３が設けられている。照明具７としてはＬＥＤ球、ミニクリプトン球、ボール球、ミゼットレフ球、ビーム球等、種類を選ばない。
【００１８】
図２に関し、回転盤３は減速機構付きモータ３０の出力軸３１の先端に固定されて出力軸３１と一体に回転する。この回転盤３と出力軸３１との一体回転は、図示例においては、出力軸３１の先端近傍の相対抗する側面に形成された凹溝３１ａ、３１ａと、回転盤３の表板１３に回転不能に固定されたＵ型金具１５との係合によりもたらされる。しかし、モータ出力軸３１と回転盤３の表板１３との固定結合は、この構成に限らず、公知の種々の方法を用いることができる。
【００１９】
斯くして回転盤３は減速機構付きモータ３０により一定の減速比に応じた一定の回転速度で回転する。減速比を複数設定して切り替えられるようにすれば、回転盤３を複数の異なる回転速度で回転させることができる。また、回転数の異なる複数のモータを使用して適宜切り替えて回転盤３の回転数を変化させるようにしてもよい。
【００２０】
図２において、モータ３０は天井壁２を底面とする展示ケース最上部の室４０の内部において、天板４１の下面に取付けられている。しかし、モータ３０は室４０の内部とは別の場所に設けられてもよい。例えば、図３に示されるように、モータ３０‘を室４０の天板４１の上面に取付けると室４０の高さ寸法（厚み）を小さくすることができる。
【００２１】
回転盤３には複数の照明具７が取付けられている。図２は図１中のＡ−Ａ線に沿った概略断面図であるため、照明具７が２個しか示されていないが、図１及び図２の実施例にあっては、照明具７の数は１２個である。しかし、個数はこれに限定されない。展示物の影の変化を楽しむような場合には回転盤３の中心から離れた位置に取付けられた１個でもよい。
【００２２】
図２に示されるように、回転盤３は展示スペース１０の天井壁２に設けられた回転盤収納凹部２０内に収められている。照明具７は回転盤３の裏板１４に設けられたソケット１５に取付けられている。照明具７への給電は回転コネクタ５０を介して行われる。一般に、回転コネクタとしては、電気接点に液体金属を使用したロータリーコネクタ、スリップリング、非接触式のロータリーリンクコネクタなどがある。本考案において、いずれのタイプの回転コネクタも使用することができる。ただ、回転盤３の回転が一定の低速であること、緩急の速度変化が要求されないこと、コスト的に有利であること等の理由により、図示実施例においては、スリップリングを採用している。
【００２３】
図２及び３に示される回転コネクタ５０は、不図示の集電環の積層体で構成される固定側部材５１と、積層された集電環のそれぞれに摺接する複数のブラシ５２を保持するブラシホルダで構成される回転側部材５３とからなる。集電環及びブラシ５２には導電性の良い材質が用いられる。例えば、集電環には貴金属メッキを施したものや真鍮が使用され、ブラシ５２には貴金属合金線やカーボンが使用される。
【００２４】
固定側部材５１は天井壁２に設けられた回転盤収納凹部２０の底部下面に固定されており、その中心部に管５１ａが軸方向に挿通固定された円管形状に形成されており、管５１ａ内をモータ出力軸３１が回転自在に貫通している。この実施例において、固定側部材５１の集電環は、図示されていないが１２個の照明具７の数に合わせて１２層に積層されている。
【００２５】
回転側部材５３は固定側部材５１の外周に沿った２ヶ所において回転盤３の裏板１４の上面に固定されており、図２及び３ではモータ出力軸３１の両側に示されており、回転盤３と一体に回転する。２個の回転側部材５３のそれぞれには６個のブラシ５２が保持されている。各ブラシ５２は固定側部材５１の相異なる集電環と摺接するように配置されている。固定側部材５１の集電環と外部電源とはリード線５７により結ばれており、回転側部材５３のブラシ５２は端子５５を介してリード線５８により照明具７と結ばれている。
【００２６】
固定側部材５１の集電環と回転側部材５３のブラシ５２とは組を構成しており、その組数は照明具７の数に対応している。照明具７の数が例えば５個であれば、集電環とブラシの組数も５組になる。集電環とブラシの組数が少ない場合、回転側部材５３は固定側部材５１の外周に沿った１ヶ所に配置されるだけでもよい。
【００２７】
上記のように構成された回転盤３は図１の第１実施例では単一の展示ケース１に一つ設けられているが、展示ケースの大きさに応じて複数設けることも自由である。図４に示される第２実施例には、横長の展示ケース１００に二つの回転盤３が取付けられている。この場合、展示ケース１００の重量が増して移動させるのに負担が大きくなるため、図示のようにキャリア６０を底面に設けて移動の容易化を図るとよい。
【００２８】
以上において移動可能な展示ケースについて説明してきたが、図５に示される第３実施例には、壁の一部に据え付け固定された展示ケース２００が示されている。このような展示ケースにおいても本考案の構成及び効果に変わりはない。
【符号の説明】
【００２９】
１  展示スペース
２  天井壁
３  回転盤
７  照明具
２０  回転盤収納凹部
３０  モータ
３１  出力軸
５０  回転式コネクタ
５７  電源からのリード線
５８  照明具へのリード線
【図１】
0003215378.tif 000003
【図２】
0003215378.tif 000004
【図３】
0003215378.tif 000005
【図４】
0003215378.tif 000006
【図５】
0003215378.tif 000007